(57)【要約】      （修正有）【課題】産業廃棄物を風力によって効率良く分別し、産業廃棄物のリサイクルに貢献し、かつ大気汚染の恐れもない廃棄物分別装置を提供する。【解決手段】上部に送風機２０を備える廃棄物の分別室１０を、ベルトコンベアに隣接して設ける。廃棄物の分別室１０の側面に取り付けられ、先端に吸込部７１を備えた吸込み用ダクトホース７０と、この吸込部７１の先端と送風機２０に取り付けた送風用ダクトホース７６の先端を、ベルトコンベヤ８５の表面に配置する。静止状態で運搬されている廃棄物１００を送風用ダクトホース７６によって風力を与えて飛散状態にして、吸込部７１で吸引して廃棄物の分別室１０へ運ぶ。【選択図】図１
0003158629.tif 000002
【実用新案登録請求の範囲】
【請求項１】
廃棄物を運搬する運搬装置と、前記運搬装置に隣接して設けた廃棄物の分別室と、前記廃棄物の分別室の上部に構成した送風機と、一端を前記廃棄物の分別室の側面に取り付け、他端を前記運搬装置の表面に配置した吸込み用ダクトホースと、一端を前記送風機に取り付け、他端を前記吸込み用ダクトホースの先端に隣接して配置した送風用ダクトホースとを備え、
前記送風機の風力によって、運搬装置上の廃棄物を分別し、軽量の廃棄物を吸込み用ダクトホースによって廃棄物の分別室へ運ぶ廃棄物分別装置。
【請求項２】
前記吸込み用ダクトホースの先端に、下方に向かって広がった形状の吸込部を構成したことを特徴とする請求項１記載の廃棄物分別装置。
【考案の詳細な説明】
【技術分野】
【０００１】
本考案は、送風機の吸引力によって生じる風力を利用して産業廃棄物を効率的に選別する廃棄物分別装置に関するものである。
【背景技術】
【０００２】
家屋やビル等の構造物を取り壊した際等に発生する混合廃棄物は、石や土、コンクリート、ガラス、木材、廃プラスチック、金属等の雑多なものが異なる大きさで含まれている。このような混合廃棄物の種類や大きさ等に応じて分別するために、風力を利用して重量物と軽量物を分別するようにした風力選別機が提案されている。
【０００３】
例えば、特許文献１に示す風力選別機は、混合廃棄物を移送する振動コンベアー（２）と、該振動コンベアーの落下口の下に複数段の送風噴出口（３）を設けてある。また、風力選別した回収資材を収容するコンテナーと前記送風噴出口付近を覆うチャンバー（５）を備え、該チャンバー内を大気圧より僅かに負圧に保つための吸気装置を具備した風力選別機である。
【０００４】
前記特許文献１記載の発明によれば、簡単で確実な選別ができ、作業環境も良好で大気汚染の原因にもならず、極力リサイクルを可能にすることができるとされる。
【先行技術文献】
【特許文献】
【０００５】
【特許文献１】特開２００７−１７５６８３号公報
【０００６】
しかし前記発明によれば、振動コンベアーの落下口の下に送風噴出口（３）を設けて、その風力で落下してくる廃棄物を選別するものであるため、廃棄物の量や質によって選別にばらつきがでることがあると共に、装置が大掛かりとなるなどの問題点があった。
【考案の概要】
【考案が解決しようとする課題】
【０００７】
本考案は、上記課題を解決するために、運搬装置上を静止状態で運搬されている材質の異なる混合物である廃棄物を、送風機の送風力と吸引力によって生じる風力によって効率良く分別すると共に、分別された軽量の廃棄物を廃棄物の分別室へと運ぶことができ、粉塵も最終段階で集塵して大気汚染の恐れも少ない廃棄物分別装置を提供することを目的とする。
【課題を解決するための手段】
【０００８】
本考案の要旨とするところは、廃棄物を運搬する運搬装置と、前記運搬装置に隣接して設けた廃棄物の分別室と、前記廃棄物の分別室の上部に構成した送風機と、一端を前記廃棄物の分別室の側面に取り付け、他端を前記運搬装置の表面に配置した吸込み用ダクトホースと、一端を前記送風機に取り付け、他端を前記吸込み用ダクトホースの先端に隣接して配置した送風用ダクトホースとを備え、前記送風機の風力によって、運搬装置上の廃棄物を分別し、軽量の廃棄物を吸込み用ダクトホースによって廃棄物の分別室へ運ぶ廃棄物分別装置である。
【０００９】
本考案の要旨とするところは、前記吸込み用ダクトホースの先端に、下方に向かって広がった形状の吸込部を構成した廃棄物分別装置である。
【考案の効果】
【００１０】
請求項１の考案によれば、吸込み用ダクトホースを廃棄物の分別室の側面に取り付け、その他端を運搬装置の表面に配置すると共に、送風機に送風用ダクトホースの一端を取り付け、その他端を前記吸込み用ダクトホースの先端近傍に配置したから、吸込み用ダクトホースと送風機及び送風用ダクトホースが閉回路を構成し、この回路内で空気を循環させることができる。
そのため微細な廃棄物が外部に排出されず、大気汚染の恐れも少ない。
さらに空気を吸引して作業を行うため、空気の流れが一方向となり乱流が発生せず分別精度が良くなり、産業廃棄物のリサイクルに貢献する等の効果を奏する。
【００１１】
請求項２の考案によれば、前記吸込み用ダクトホースの吸込部の先端を下方に向かって広がった形状としたため、空気が吸込部に吸引されていくときに、吸込部内で渦巻き状の流れとなってスピードを加速させながら上昇し、この上昇力によって大量の廃棄物が迅速に吸込み用ダクトホースを通って廃棄物の分別室へ運ばれるのである。
【図面の簡単な説明】
【００１２】
【図１】本考案の実施形態１の正面図
【図２】本考案の実施形態１の平面図
【図３】本考案の実施形態１の作動説明図
【図４】本考案の実施形態１の廃棄物の分別室の側面図
【図５】本考案の実施形態１の廃棄物の分別室の一部省略平面図
【考案を実施するための形態】
【００１３】
廃棄物の運搬装置に隣接して設けた廃棄物の分別室を構成し、この側面に、先端の吸込部を運搬装置の表面に配置した吸込み用ダクトホースを構成する。一方、前記廃棄物の分別室の上部に固定した送風機に、先端の送風口を前記吸込み用ダクトホースの先端に隣接して配置した送風用ダクトホースを取り付ける。
さらに廃棄物の分別室内の上端にミスト発生装置を設けると共に、このミスト発生装置下方にフィルタを取り付ける一方、廃棄物の分別室の底板を開閉可能に構成する。
【００１４】
本考案の実施形態１は図１から図５に示すものである。
本実施形態は、架台９０上に設置した直方体の廃棄物の分別室１０と、この廃棄物の分別室１０の一側板１１ａに固定した吸込み用ダクトホース７０と、前記送風機２０の側面に取り付けた送風用ダクトホース７６と、前記廃棄物の分別室１０の近傍に設置した廃棄物の運搬装置であるベルトコンベヤ８５等からなる。
【００１５】
前記廃棄物の分別室１０の天板１２には開口部１６を構成する。この開口部１６の上部の天板上には送風機２０を設置する。
そして廃棄物の分別室１０内の上端で前記開口部１６の下方位置にミスト発生装置１８を設ける。さらにこのミスト発生装置１８下方にフィルタ１７を構成する。このフィルタ１７は、開口部１６からの微細な粉塵の流出防止用であるため、廃棄物の分別室１０の上端面全域にわたって構成されている。
【００１６】
前記廃棄物の分別室１０の底板であるデッキ１３は、側板１１ｂの下端に蝶番１４によって開閉自在に取り付けてあり、中央の一側部を外側に延長して突起部１３ａを構成する。
一方、側板１１ｂの表面には前記デッキ１３開閉用のパワーシリンダ１５が設けてあり、このパワーシリンダ１５の先端を、前記デッキ１３の突起部１３ａに固定してある。
【００１７】
吸込み用ダクトホース７０は、一端を廃棄物の分別室１０の側板１１ａに固定し、他端に設けた吸込部７１の先端をベルトコンベヤ８５の表面近傍に配置している。一方、送風機２０の側面に送風用ダクトホース７６を取り付け、その先端の送風口７８を前記吸込み用ダクトホース７０の先端の吸込部７１の後方（図１右方）に配置している。
また図３に示すように、吸込み用ダクトホース７０の吸込部７１は、その側板７１ａ、７１ｂ、７１ｃ、７１ｄによって構成されていて、先端に向って広がった形状である。
【００１８】
前記運搬装置は、水平なベルトコンベヤ８５であるため、廃棄物１００はベルトコンベヤ８５の表面に面接触した状態で運搬されるため静止摩擦が働いている。本実施形態では、手選別を行う水平なベルトコンベヤ８５を記載したが、これに限らず、傾斜した搬送用のベルトコンベヤ８５も、本考案に含まれるものとする。
【００１９】
上記のように構成した実施形態１の作用を説明する。
図１に示すように、産業廃棄物１００をベルトコンベヤ８５後端に投入して、ベルトコンベヤ８５を作動させると、廃棄物１００はベルトコンベヤ８５上で静止状態で、前方矢印方向に進んでいく。
【００２０】
前記送風機２０を作動して、送風用ダクトホース７６先端の送風口７８からベルトコンベヤ８５の表面に空気を吹きつけて、静止状態の廃棄物１００を強制的に動かす。
【００２１】
これと同時に、吸込み用ダクトホース７０の先端の吸込部７１より空気が吸引され、図１の矢印に示す空気の流れが形成される。
これによって、送風用ダクトホース７６の送風口７８から噴出した空気は、ベルトコンベヤ８５の表面に衝突して廃棄物１００を飛散させて廃棄物１００を分別し、軽量の廃棄物と空気が吸込部７１によって吸引され、吸込み用ダクトホース７０内を通って廃棄物の分別室１０に流れていく。
【００２２】
この状態を図３に基づいて説明すると、吸込み用ダクトホース７０の吸込部７１は側板７１ａ、７１ｂ、７１ｃ、７１ｄが下方に向かって広がって構成されているから、ベルトコンベヤ８５の上流側にある送風口７８から噴出した空気は、ベルトコンベヤ８５の表面に衝突してから吸込部７１に吸引されていくときに、吸込部７１内で渦巻き状の流れとなってスピードを加速させながら上昇していく。
この上昇力によって大量の廃棄物１００が迅速に吸込み用ダクトホース７０を通って廃棄物の分別室１０へ運ばれるのである。
【００２３】
このように、吸込まれた空気は、吸込み用ダクトホース７０と送風機２０と送風用ダクトホース７６で構成された閉回路の中を、図１の矢印で示すように循環していくため、微細なホコリも外に排出されず、大気汚染の恐れがなくなるのである。
【００２４】
ここで軽量の廃棄物とは、手で拾えないような３ｍｍ以下の大きさで比重の小さいもの、例えば、木屑、プラスチックなど可燃性のものを指し、また体積が大きく比重の小さい物も指す。後者は、風量の調整によって吸引できるのである。
【００２５】
一方、ベルトコンベヤ８５によって運ばれてきた重量の廃棄物、例えば、瓦礫、陶磁器、金属等は、吸込部７１によって吸引されずにそのまま前方に落下して容器８２に収容される。
このように廃棄物１００は、送風機２０の送風力と吸引力の働きで、軽量物と重量物とに分別され、かつ軽量物は廃棄物の分別室１０へと運ばれていくのである。
【００２６】
廃棄物の分別室１０へと運ばれた軽量の廃棄物は、フィルタ１７によって外部への流出が阻止され廃棄物の分別室１０内を落下してデッキ１３上に溜まっていく。
デッキ１３上の廃棄物の滞留が一定量、例えば１立米に達したら、パワーシリンダ１５を作動して、シリンダを縮短してデッキ１３の突起部１３ａを上昇させて、デッキ１３を下方に開くのである（図４仮想線参照）。これによって、デッキ１３上の廃棄物は、廃棄物の分別室１０の下方に落下し容器８１に収容される。
また、デッキ１３が下方に開くと、前記送風機２０は自動的に停止する構成となっている。これによって送風機２０の吸引力がなくなるため、この吸引力でフィルタ１７表面に付着していた軽量の廃棄物は自重で落下していくのである。
このように、デッキ１３の開放によって、フィルタ１７の目詰まりを自動的に防げるのである。
【００２７】
図５に示すように、前記開口部１６の周囲にはミスト発生装置１８を設ける。このミスト発生装置１８は、開口部１６の周囲を囲むようにフィルタ１７の上部に水平に配置された、一端を閉鎖したコ字型のパイプ１８ａからなり、このパイプの表面に所定間隔で孔１８ｂ，１８ｂ・・を穿設してある。
使用に際しては、開放端１８ｃから水道水を、２ｋｇ／ｃｍ2の圧力で送り込み、孔１８ｂ，１８ｂ・・から噴出させる。このとき、開口部１６には下方から上方へ空気が流れていて、孔１８ｂ，１８ｂ・・付近では気圧が低くなっているから、水は勢いよく噴出して細かいミスト（霧）となってフィルタ１７の表面に満遍なく散布されていくのである。
このミストは、廃棄物に付着して空気と共に外部に放出され、廃棄物の分別室内に水滴となって付着することはない。
【００２８】
これによって、フィルタ１７を通過した微細な廃棄物つまり粉塵類は、ミストに付着して落下して外部流出が防げるため、大気汚染が防止されるのである。
このように本実施形態によれば、廃棄物１００がベルトコンベヤ８５の表面に面接触していて静止摩擦が働いている状態で運搬されている場合、送風用ダクトホース７６の送風口７８から空気を噴出させ、廃棄物１００を吹き上げて動摩擦を生じさせ、送風機２０の吸引力によって吸込用ダクトホース７０の吸込部７１から、分別された軽量の廃棄物を速やかに吸引することができる。
さらに、吸込用ダクトホース７０と送風機２０及び送風用ダクトホース７６が閉回路を構成しているため、空気はこの回路内を循環し微細なホコリも外に排出されず、大気汚染の恐れがなくなる。
【符号の説明】
【００２９】
１０  廃棄物の分別室
１２  天板
１３  デッキ
１４  蝶番
１５  パワーシリンダ
１６  開口部
１７  フィルタ
１８  ミスト発生装置
２０  送風機
７０  吸込み用ダクトホース
７１  吸込部
７６  送風用ダクトホース
７８  送風口
８５  ベルトコンベヤ（運搬装置）
１００  廃棄物（産業廃棄物）
【図１】
0003158629.tif 000003
【図２】
0003158629.tif 000004
【図３】
0003158629.tif 000005
【図４】
0003158629.tif 000006
【図５】
0003158629.tif 000007